【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
第１および第２の波長の光が波長多重されている入射光を分波するための光分波器であって、
前記第１および第２の波長の光のマルチモード伝播が可能で、内部でのモード干渉によって、前記第１の波長の光量と、前記第２の波長の光量とを分離させるマルチモード伝播部と、
前記マルチモード伝播部の内部で光量分離が発生するような前記マルチモード伝播部の入力位置に光を入射させる入射部と、
前記第１および第２の波長の光量分離が発生し、かつ遮断したい波長の光量に対する取り出したい波長の光量の大きさを示す消光比が最大となる前記マルチモード伝搬部の出力端面上の位置から、それぞれの光を出射させる第１および第２の出射部とを備える、光分波器。
【請求項２】
取り出したい波長の光量を遮断したい波長の光量で割ったときの商に対する自然対数を１０倍した値が前記消光比であるとした場合、前記消光比が最大となる位置では、前記消光比が３０ｄＢ以上となっている、請求項１に記載の光分波器。
【請求項３】
前記第１の出射部の位置は、前記第２の波長の光量が最小となる位置であり、
前記第２の出射部の位置は、前記第１の波長の光量が最小となる位置である、請求項１に記載の光分波器。
【請求項４】
前記マルチモード伝播部の伝搬方向における光路長は、前記第１の波長の０次モードと１次モードとの位相差θ１、および前記第２の波長の０次モードと１次モードとの位相差θ２について、位相差θ１と位相差θ２との差がπの整数倍±π／２の範囲内となるような光路長であることを特徴とする、請求項１に記載の光分波器。
【請求項５】
前記マルチモード伝播部の伝搬方向における光路長は、各波長のそれぞれの出力端で、前記第１の波長の光量または前記第２の波長の光量の内、少なくともいずれか一方の光量が極値となるような光路長であることを特徴とする、請求項４に記載の光分波器。
【請求項６】
前記マルチモード伝播部の伝搬方向における光路長は、前記位相差θ１と前記位相差θ２との差がπの整数倍となるような光路長であることを特徴とする、請求項５に記載の光分波器。
【請求項７】
前記マルチモード伝播部の伝搬方向における光路長は、各波長のそれぞれの出力端で、前記第１の波長の光量と前記第２の波長の光量とが互いに反転している極値となるような光路長であることを特徴とする、請求項６に記載の光分波器。
【請求項８】
前記マルチモード伝播部の伝搬方向における光路長は、前記第１の波長の出力端および前記第２の波長の出力端での消光比が３０ｄＢ以上となるような光路長であることを特徴とする、請求項４に記載の光分波器。
【請求項９】
前記マルチモード伝播部の伝搬方向における光路長は、前記位相差θ１と前記位相差θ２との差がπの整数倍となるような光路長であることを特徴とする、請求項４に記載の光分波器。
【請求項１０】
前記マルチモード伝播部は、
前記第１の波長の０次モードと１次モードとの位相差θ１、および前記第２の波長の０次モードと１次モードとの位相差θ２について、伝搬方向において位相差θ１と位相差θ２との差がπの整数倍±π／２の範囲内となるような光路長を有する第１の光路長部と、
前記第１の波長の０次モードと１次モードとの位相差θ１、および前記第２の波長の０次モードと１次モードとの位相差θ２について、伝搬方向において位相差θ１と位相差θ２との差がπの整数倍±π／２の範囲内となるような光路長を有する第２の光路長部とであり、
前記第１の光路長部の出力側からは、前記第１の波長の光が取り出され、
前記第２の光路長部の出力側からは、前記第２の波長の光が取り出され、
前記第１の光路長部の光路長と前記第２の光路長部の光路長とは、相異なることを特徴とする、請求項１に記載の光分波器。
【請求項１１】
前記第１の光路長部の伝搬方向における光路長は、前記位相差θ１と前記位相差θ２との差がπの整数倍となるような光路長であり、
前記第２の光路長部の伝搬方向における光路長は、前記位相差θ１と前記位相差θ２との差がπの整数倍となるような光路長であることを特徴とする、請求項１０に記載の光分波器。
【請求項１２】
前記マルチモード伝播部の伝搬方向における光路長は、
前記第１の波長の０次モードと１次モードとの位相差θ１、および前記第２の波長の０次モードと１次モードとの位相差θ２について、伝搬方向において位相差θ１と位相差θ２との差がπの整数倍±π／２の範囲内となるような光路長であり、
前記マルチモード伝搬部は、
前記第１の波長または前記第２の波長の内、短い波長の方のマルチモードのみが伝播可能な第１のマルチモード領域部と、
前記第１のマルチモード領域部の光進行方向後部に存在し、前記第１の波長および前記第２の波長のマルチモードが伝搬可能な第２のマルチモード領域部とである、請求項１に記載の光分波器。
【請求項１３】
前記マルチモード伝播部の伝搬方向における光路長は、前記位相差θ１と前記位相差θ２との差がπの整数倍となるような光路長であることを特徴とする、請求項１２に記載の光分波器。
【請求項１４】
前記マルチモード伝播部は、一個のマルチモード導波路で構成され、前記マルチモード導波路の入力側を矩形に欠くことによって、幅が狭くなっている前記第１のマルチモード領域部および幅が広くなっている前記第２のマルチモード領域部を形成することを特徴とする、請求項１２に記載の光分波器。
【請求項１５】
前記マルチモード伝播部は、前記第１の波長の０次モードと１次モードとの位相差θ１、および前記第２の波長の０次モードと１次モードとの位相差θ２について、伝搬方向において位相差θ１と位相差θ２との差がπの整数倍±π／２の範囲内となるような光路長であり、かつ、光軸方向に幅が変化していることを特徴とする、請求項１に記載の光分波器。
【請求項１６】
前記マルチモード伝播部の伝搬方向における光路長は、前記位相差θ１と前記位相差θ２との差がπの整数倍となるような光路長であることを特徴とする、請求項１５に記載の光分波器。
【請求項１７】
さらに、前記第１の出射部の出力端に配置されており、前記マルチモード伝播部と同特性を有する第１の後段マルチモード伝播部と、
前記第２の出射部の出力端に配置されており、前記マルチモード伝播部と同特性を有する第２の後段マルチモード伝播部と、
前記第１の後段マルチモード伝播部によって分離される前記第１の波長の光を出射するための第１の後段出射部と、
前記第２の後段マルチモード伝播部によって分離される前記第２の波長の光を出射するための第２の後段出射部とを備える、請求項１に記載の光分波器。
【請求項１８】
前記マルチモード伝播部は、電気光学材料で作製されており、
前記マルチモード伝播部に外部電界を印加する外部電界制御部をさらに備える、請求項１に記載の光分波器。
【請求項１９】
前記外部電界制御部は、
前記マルチモード伝播部の表面に設けられた一対の電極と、
前記一対の電極間電圧を制御する外部電圧制御部とを含む、請求項１８に記載の光分波器。
【請求項２０】
前記マルチモード伝播部は、温度依存性を有する熱光学材料で作製されており、
前記マルチモード伝播部の温度を制御する外部温度制御部をさらに備える、請求項１に記載の光分波器。
【請求項２１】
前記外部温度制御部は、
前記マルチモード伝播部の表面に設けられた熱伝導部と、
前記熱伝導部を加熱および／または冷却して温度を制御する温度制御部とを含む、請求項２０に記載の光分波器。
【請求項２２】
前記入射部は、前記マルチモード伝播部の入力側において光学的に結合している導波路であり、
各前記出射部は、前記マルチモード伝播部の出力側において光学的に結合している導波路であることを特徴とする、請求項１に記載の光分波器。
【請求項２３】
互いに異なるｎ（ｎは自然数）種類の波長の光が波長多重されている入射光を分波するための光分波器であって、
前記入射光に含まれるｎ種類の波長のマルチモード伝播が可能で、内部での各波長のモード干渉によって、各波長の光量を分離させるマルチモード伝播部と、
前記マルチモード伝播部の内部で光量分離が発生するような前記マルチモード伝播部の入力位置に光を入射させる入射部と、
前記ｎ種類の波長の光量分離が発生し、かつ遮断したい波長の光量に対する取り出したい波長の光量の大きさを示す消光比が最大となる前記マルチモード伝搬部の出力端面上の位置から、それぞれの光を出射させるｎ個の出射部とを備える、光分波器。
【請求項２４】
前記マルチモード伝播部は、第ｋ（ｋ＝１，２，…，ｎ−１）波長λk の第ｉ（ｉ＝０，１，…，ｎ）次モードと第ｉ＋１次モードとの位相差θk 、および第ｋ＋１波長λk+1 の第ｉ次モードと第ｉ＋１次モードとの位相差θk+1 について、伝搬方向において位相差θk と位相差θk+1 との差がπの整数倍±π／２の範囲内となるような光路長を有することを特徴とする、請求項２３に記載の光分波器。
【請求項２５】
互いに異なる２ｎ（ｎは自然数）種類の波長（λ1 ，…，λ2n）の光が波長多重されている入射光を二つの波長群に分波するための光分波器であって、
前記入射光に含まれる２ｎ種類の波長のマルチモード伝播が可能で、内部での各波長のモード干渉によって、前記二つの波長群の光量を二つに分離させるマルチモード伝播部と、
前記マルチモード伝播部の内部で光量分離が発生するような前記マルチモード伝播部の入力位置に光を入射させる入射部と、
前記二つの波長群の光量分離が発生する位置から、それぞれ光を出射させる２個の出射部とを備え、
前記二つの波長群の内、一つは、奇数番の波長の光が波長多重されており、もう一つは、偶数番の波長の光が波長多重されていることを特徴とする、光分波器。
【請求項２６】
前記マルチモード伝播部は、第２ｋ−１（ｋ＝１，２，…，ｎ）波長λ2k-1の０次モードと１次モードとの位相差θ2k-1、および第２ｋ波長λ2kの０次モードと１次モードとの位相差θ2kについて、伝搬方向において前記位相差θ2k-1と位相差θ2kとの差がπの整数倍±π／２の範囲内となるような光路長を有することを特徴とする、請求項２５に記載の光分波器。
【請求項２７】
前記マルチモード伝播部は、
第２ｋ−１（ｋ＝１，２，…，ｎ）波長λ2k-1の０次モードと１次モードとの位相差θ2k-1、および第２ｋ波長λ2kの０次モードと１次モードとの位相差θ2kについて、伝搬方向において前記位相差θ2k-1と位相差θ2kとの差がπの整数倍±π／２の範囲内となるような光路長を有する第１の光路長部と、
第２ｋ−１（ｋ＝１，２，…，ｎ）波長λ2k-1の０次モードと１次モードとの位相差θ2k-1、および第２ｋ波長λ2kの０次モードと１次モードとの位相差θ2kについて、伝搬方向において前記位相差θ2k-1と位相差θ2kとの差がπの整数倍±π／２の範囲内となるような光路長を有する第２の光路長部とを含み、
前記第１の光路長部の出力側からは、奇数番の波長群が取り出され、
前記第２の光路長部の出力側からは、偶数番の波長群が取り出され、
前記第１の光路長部の光路長と前記第２の光路長部の光路長とは、相異なることを特徴とする、請求項２５に記載の光分波器。
【請求項２８】
前記マルチモード伝播部の屈折率と波長との関係が、少なくとも２ｎ種類の波長領域において線形であることを特徴とする、請求項２５に記載の光分波器。
【請求項２９】
ｎは、ｎ＝４ｋ（ｋ自然数）となるような数であって、
さらに、前記奇数番の波長群を導波するための前記出力導波路の出力端に光学的に結合しており、前記マルチモード伝播部と同特性を有する第１の後段マルチモード伝播部と、
前記偶数番の波長群を導波するための前記出力導波路の出力端に光学的に結合しており、前記マルチモード伝播部と同特性を有する第２の後段マルチモード伝播部と、
前記第１の後段マルチモード伝播部によって分離される第４ｋ−３番の波長群を出射する第１の後段出射部と、
前記第１の後段マルチモード伝播部によって分離される第４ｋ−１番の波長群を出射する第２の後段出射部と、
前記第２の後段マルチモード伝播部によって分離される第４ｋ−２番の波長群を出射する第３の後段出射部と、
前記第２の後段マルチモード伝播部によって分離される第４ｋ番の波長群を出射する第４の後段出射部とを備える、請求項２５に記載の光分波器。
【請求項３０】
第１および第２の波長の光が波長多重されている入射光を分波するための光分波器であって、
内部でのモード干渉によって、前記第１の波長から所定波長だけずれた第３の波長の光量と、前記第２の波長から所定波長だけずれた第４の波長の光量とを分離させる第１のマルチモード伝搬部と、
前記第１のマルチモード伝播部の内部で光量分離が発生するような前記第１のマルチモード伝播部の入力位置に光を入射させる入射部と、
前記第３および第４の波長の光量分離が発生し、かつ前記第３の波長の光量に対する第４の波長の光量の大きさを示す消光比が最大となる前記第１のマルチモード伝搬部の出力端面上の位置に設けられた第１の出射部と、
前記第３および第４の波長の光量分離が発生し、かつ前記第４の波長の光量に対する第３の波長の光量の大きさを示す消光比が最大となる前記第１のマルチモード伝搬部の出力端面上の位置に設けられた第２の出射部と、
内部でのモード干渉によって、前記第１の波長から前記第３の波長とは逆の方向に所定波長だけずれた第５の波長の光量と、前記第２の波長から前記第４の波長とは逆の方向に所定波長だけずれた第６の波長の光量とを分離させる第２および第３のマルチモード伝搬部と、
前記第５および第６の波長の光量分離が発生し、かつ前記第５の波長の光量に対する第６の波長の光量の大きさを示す消光比が最大となる前記第２のマルチモード伝搬部の出力端面上の位置に設けられた第３の出射部と、
前記第５および第６の波長の光量分離が発生し、かつ前記第６の波長の光量に対する第５の波長の光量の大きさを示す消光比が最大となる前記第３のマルチモード伝搬部の出力端面上の位置に設けられた第４の出射部とを備える、光分波器。
【請求項３１】
前記第３および第５の波長は、前記第１の波長を中心にして対称であり、
前記第４および第６の波長は、前記第２の波長を中心にして対称である、請求項３０に記載の光分波器。
【手続補正２】
【補正対象書類名】明細書
【補正対象項目名】００８８
【補正方法】変更
【補正の内容】
【００８８】
第１のシングルモード出力導波路１０３ａと第２のシングルモード出力導波路１０４ａとは、マルチモード導波路１０２ａの中心線１１２ａを中心として反対側の位置で、マルチモード導波路１０２ａの出力側と光学的に結合している。第１のシングルモード出力導波路１０３ａおよび第２のシングルモード出力導波路１０４ａは、波長１．３０μｍおよび波長１．５５μｍの各波長が、それぞれ第２のシングルモード出力導波路１０４ａおよび第１のシングルモード出力導波路１０３ａと結合しない距離まで各波長の光を誘導するように、基板１０６ａ上に配置されている。
【手続補正３】
【補正対象書類名】明細書
【補正対象項目名】００９０
【補正方法】変更
【補正の内容】
【００９０】
Ｖ溝１０５ａは、シングルモード入力光ファイバ７をシングルモード入力導波路１０１ａの入力端に接続するために、基板１０６ａに穿孔された位置決め用の溝である。Ｖ溝１１５ａは、第１のシングルモード出力光ファイバ８を第１のシングルモード出力導波路３の出力端に接続するために、基板１０６ａに穿孔された位置決め用の溝である。Ｖ溝１２５ａは、第２のシングルモード出力光ファイバ９を第２のシングルモード出力導波路１０４ａの出力端に接続するために、基板６に穿孔された位置決め用の溝である。
【手続補正４】
【補正対象書類名】明細書
【補正対象項目名】００９５
【補正方法】変更
【補正の内容】
【００９５】
図２Ｂは、波長１．５５μｍの光の振る舞いを示す図である。波長１．５５μｍの光についても同様に、マルチモード導波路１０２ａにおいて０次モードと１次モードとに展開され、モード分散によって、光量がマルチモード導波路２中を右方向かつ上下交互に移動しながら、波長１．５５μｍの光が伝搬する。その後、波長１．５５μｍの光は、第２の出力導波路１０４ａに入射して、第２の出力導波路１０４ａ中を伝播していく。
【手続補正５】
【補正対象書類名】明細書
【補正対象項目名】０１４９
【補正方法】変更
【補正の内容】
【０１４９】
第１のマルチモード領域部１１２ｃは、波長１．３０μｍの光について、０次モードおよび１次モードを固有モードとして存在させることができ、波長１．５５μｍの光について、０次モードのみを固有モードとして存在させることができる。第２のマルチモード領域部１２２ｃは、波長１．３０μｍおよび波長１．５５μｍの光について、それぞれ０次モードおよび１次モードを固有モードとして存在させることができる。
【手続補正６】
【補正対象書類名】明細書
【補正対象項目名】０１５５
【補正方法】変更
【補正の内容】
【０１５５】
一方、第２のマルチモード領域部１２２ｃの中心線１４２ｃから軸ズレした位置から入射した波長１．５５μｍの０次モードは、第２のマルチモード領域部１２２ｃにおいて、第２のマルチモード領域部１２２ｃに固有の０次モードと１次モードとに展開される。光伝播に連れて、０次モードと１次モードとのモード分散により、波長１．５５μｍの光は、横方向に光量移動を伴いながら伝播する。第１のマルチモード領域部１１２ｃにおいて、各波長の光量移動の位相差がすでにφだけ生じているので、第２のマルチモード領域部１２２ｃでの光量移動の位相差は、π−φだけで良い。
【手続補正７】
【補正対象書類名】明細書
【補正対象項目名】０１６９
【補正方法】変更
【補正の内容】
【０１６９】
図１０において、光分波器１００ｅは、入力導波路１０１ａと、多段型マルチモード伝播部１０２ｅと、第１の出力導波路１０３ａと、第２の出力導波路１０４ａと、これらを固定する基板１０６ｅと、Ｖ溝１０５ａ，１１５ａ，１２５ａとを備える。多段型マルチモード伝播部１０２ｅは、第１のマルチモード領域部１５２ｅと、第２のマルチモード領域部１６２ｅとを含む。第１のマルチモード領域部１５２ｅは、第１のシングルモード導波路１１２ｅと、第２のシングルモード導波路１２２ｅと有する。第２のマルチモード領域部１６２ｅは、第３のシングルモード導波路１３２ｅと、第４のシングルモード導波路１４２ｅとを含む。
【手続補正８】
【補正対象書類名】明細書
【補正対象項目名】０１７１
【補正方法】変更
【補正の内容】
【０１７１】
第３のシングルモード導波路１３２ｅと第４のシングルモード導波路１４２ｅとは、２０μｍ以下の間隔であり、かつ第１のシングルモード導波路１１２ｅと第２のシングルモード導波路１２２ｅとの間隔よりも大きい間隔で並行配列しており、第２のマルチモード領域部１６２ｅを構成する。なお、厳密には、第４のシングルモード導波路１４２ｅの入力側で第２のシングルモード導波路１２２ｅとの接続のため湾曲しているので、その部分では、並行配列となっていない。
【手続補正９】
【補正対象書類名】明細書
【補正対象項目名】０１９９
【補正方法】変更
【補正の内容】
【０１９９】
図１４は、電気光学効果を利用してマルチモード伝播部の屈折率を変化させる光分波器１００ｈの構成の概要を示す図である。図１４に示す光分波器１００ｈでは、マルチモード導波路１０２ｈのコア材料として電気光学効果を有する材料を使用し、マルチモード導波路１０２ｈの上側の表裏面に二つの電極１１１（図１４では、表側の電極１１１のみ図示）を設けて、外部の電圧制御部１１２から電極１１１に印加する電圧を制御する。これにより、マルチモード導波路１０２ｈの屈折率をリアルタイムで任意に変化させることができるので、波長１．３０μｍおよび波長１．５５μｍの消光比を動的に制御することが可能となる。なお、マルチモード導波路１０２ｈ上の電極形状や設置位置を変化させることでマルチモード導波路１０２ｈの屈折率分布も動的に変化する。電極１１１の取り付け位置としては、図１４のように、マルチモード導波路１０２ｈの上側の表裏面に一対設けるのに限定されるわけではなく、下側の表裏面に一対設けたり、表面の上下に一対設けるなどしてもよく、マルチモード導波路１０２ｈの屈折率を変化させることができる位置であれば、どのような位置であってもよい。
【手続補正１０】
【補正対象書類名】明細書
【補正対象項目名】０２００
【補正方法】変更
【補正の内容】
【０２００】
図１５は、熱光学効果を利用してマルチモード伝播部の屈折率を変化させる光分波器１００ｉの構成の概要を示す図である。図１５に示す光分波器１００ｉでは、マルチモード導波路１２２ａのコア材料として熱光学効果を有する材料を使用し、マルチモード導波路１２２ａの上側表面に一つの熱伝導部１２１を設けて、外部の温度制御部１２２から熱を伝えて、熱伝導部１２１がマルチモード導波路１２２ａに伝える熱の温度を制御する。これにより、マルチモード導波路１２２ａの屈折率をリアルタイムで任意に変化させることができるので、波長１．３０μｍおよび波長１．５５μｍの消光比を動的に制御することが可能となる。なお、熱制御の仕方として、マルチモード導波路１２２ａにペルチェ素子を設け、ペルチェ素子へ流す電流によりマルチモード導波路１２２ａの温度を制御することも可能である。なお、マルチモード導波路１２２ａ上の熱伝導部１２１の形状やペルチェ素子の形状、設置位置を変化させることでマルチモード導波路１２２ａの屈折率分布も動的に変化する。この位置は、図１５に示すように、マルチモード導波路１２２ａの上側表面のみに限定されるものではなく、上側裏面や、下側表面または裏面や、上下を含む全面など、マルチモード導波路１２２ａの屈折率を変化させることができる位置であれば、どのような位置であってもよい。
【手続補正１１】
【補正対象書類名】明細書
【補正対象項目名】０２０６
【補正方法】変更
【補正の内容】
【０２０６】
図１６において、光合波器２００ａは、第１の入力導波路２０１ａと、第２の入力導波路２０２ａと、マルチモード導波路２０３ａと、出力導波路２０４ａと、これらを固定する基板２０６ａと、第１の入力光ファイバ２８を固定するためのＶ溝２０５ａと、第２の入力光ファイバ２９を固定するためのＶ溝２１５ａと、出力光ファイバ２７を固定するためのＶ溝２２５ａとを備える。
【手続補正１２】
【補正対象書類名】明細書
【補正対象項目名】０２１４
【補正方法】変更
【補正の内容】
【０２１４】
図１７において、光合波器２００ｂは、第１の入力導波路２０１ａと、第２の入力導波路２０２ａと、異光路長マルチモード導波路２０３ｂと、出力導波路２０４ａと、これらを固定する基板２０６ｂと、Ｖ溝２０５ａ，２１５ａ，２２５ａとを備える。
【手続補正１３】
【補正対象書類名】明細書
【補正対象項目名】０２２１
【補正方法】変更
【補正の内容】
【０２２１】
多段型マルチモード導波路２０３ｃは、第１のマルチモード領域部２１３ｃと、第２のマルチモード領域部２２３ｃとを含む。第１のマルチモード領域部２１３ｃは、第３の実施形態の光分波器１００ｃにおける多段型マルチモード導波路１０２ｃの第２のマルチモード領域部１２２ｃと同様の特性を有する。すなわち、第１のマルチモード領域部２１３ｃは、第２の入力導波路２０２ａからの波長１．５５μｍの光をモード干渉させ、第２のマルチモード領域部２２３ｃとの境界面で光量が極大となるようにする。
【手続補正１４】
【補正対象書類名】明細書
【補正対象項目名】０２２９
【補正方法】変更
【補正の内容】
【０２２９】
なお、高次マルチモード伝播部は、シングルモード導波路で構成されたカプラーであってもよい。図２０は、高次マルチモード伝播部２１３ｆをｎ個のシングルモード導波路２２３ｆで構成した光分波器２００ｇの構成の概要を示す図である。動作原理は、図１２に示した光分波器１０１ｆにおける光の振る舞いを逆にすれば説明できる。
【手続補正１５】
【補正対象書類名】明細書
【補正対象項目名】０２３３
【補正方法】変更
【補正の内容】
【０２３３】
なお、図２１に示すように、光合波器２１０ａのマルチモード導波路２１３ｇを電気光学効果を有する材料にして、電圧制御部１１２および電極１１１によって、マルチモード導波路２１３ｇの屈折率を変化させ、動的に合波比を制御するようにしてもよい。電圧制御部１１２および電極１１１については、図１４を用いて説明したものと同様である。
【手続補正１６】
【補正対象書類名】明細書
【補正対象項目名】０２３７
【補正方法】変更
【補正の内容】
【０２３７】
分波部３０１ａは、入力導波路１０１ａと、マルチモード導波路１０２ｆと、ｎ個の入力側中継導波路３１１ａとを含む。合波部３０２ａは、ｎ個の出力側中継導波路３１２ａと、高次マルチモード導波路２０３ｆと、出力導波路２０４ａとを含む。
【手続補正１７】
【補正対象書類名】明細書
【補正対象項目名】０２４２
【補正方法】変更
【補正の内容】
【０２４２】
なお、各波長のゲインをモニターする場所は、合波部３０２ａでも良く、この場合は、合波部３０２ａの出力が所望のゲインとなるまで補正値をゲイン調整部３０３ａにフィードバックするような構成となる。この場合、外部制御部とモニター部とを設けて、外部制御部がゲイン調整部３０３ａを制御するようにすればよい。
【手続補正１８】
【補正対象書類名】明細書
【補正対象項目名】０２４４
【補正方法】変更
【補正の内容】
【０２４４】
なお、分波部３０１ａのマルチモード導波路１０２ｆ、および合波部３０２ａの高次マルチモード導波路２０３ｆをｎ個の並行シングルモード導波路で形成しても良い。
【手続補正１９】
【補正対象書類名】明細書
【補正対象項目名】０２５５
【補正方法】変更
【補正の内容】
【０２５５】
波長１．３０μｍの光を受信専用とし、波長１．５５μｍの光を送受信用として使用すると、入出力光ファイバ４７から入射した波長１．３０μｍの光と波長１．５５μｍの光とは、それぞれ分波される。波長１．３０μｍの光は、第２の導波路３０３ｃを介して、１．３０μｍ用フォトダイオード３０５ｃに受光される。波長１．５５μｍの光は、第３の導波路３０４ｃを介して、１．５５μｍ用フォトダイオード３０８ｃに受光される。一方、波長１．５５μｍ用レーザーダイオード３０７ｃから第３の導波路３０４ｃに入射した波長１．５５μｍの光は、マルチモード導波路３０２ｃが合波器（正確には、当該実施形態の場合、電気回路部側から第２の導波路へ入射する波長が無いので第３の導波路３０４ｃから第１の導波路３０１ｃへスルーする偏向器）として機能して、入出力光ファイバ４７へ入力される。
【手続補正２０】
【補正対象書類名】明細書
【補正対象項目名】０２６６
【補正方法】変更
【補正の内容】
【０２６６】
このように、奇数番多重波長光と偶数番多重波長光との光量が分離する光路長をマルチモード導波路３０１ｄの光路長とし、奇数番多重波長光と奇数番多重波長光とが分離した各位置近傍にそれぞれ第１の出力導波路１０３ａおよび第２の出力導波路１０４ａを設けると、導波路のみの簡単な構成で容易に奇数番多重波長光と偶数番多重波長光とを分波することが可能となる。
【手続補正２１】
【補正対象書類名】明細書
【補正対象項目名】０２７１
【補正方法】変更
【補正の内容】
【０２７１】
第１段マルチモード導波路３０１ｅは、図２６に示したＷＤＭ用インターリーバ３００ｄのマルチモード導波路３０１ｄと同一の特性を有し、第２ｋ−１（ｋ＝１，２，…）波長λ2k-1（以下、奇数番多重波長光という）と第２ｋ波長λ2k（以下、偶数番多重波長光という）との光量移動の位相差がほぼπの整数倍となる光路長を有する第１のインターリーバである。
【手続補正２２】
【補正対象書類名】明細書
【補正対象項目名】０２７８
【補正方法】変更
【補正の内容】
【０２７８】
第１の第２段マルチモード導波路３０４ｅへ入力された奇数番多重波長光は、第４ｋ−３番多重波長光と第４ｋ−１番多重波長光とに分波される。第２の第２段マルチモード導波路３０７ｅへ入力された偶数番多重波長光は、第４ｋ−２番多重波長光と第４ｋ番多重波長光とに分波される。
【手続補正２３】
【補正対象書類名】明細書
【補正対象項目名】０２８０
【補正方法】変更
【補正の内容】
【０２８０】
なお、各マルチモード導波路３０１ｅ，３０４ｅ，３０７ｅの屈折率は、波長使用波長領域において波長にほぼ線形なので、第１の第２段マルチモード導波路３０４ｅの光路長と第２の第２段マルチモード導波路３０７ｅの光路長とは等しい。
【手続補正２４】
【補正対象書類名】明細書
【補正対象項目名】０２８２
【補正方法】変更
【補正の内容】
【０２８２】
なお、上記第１６の実施形態および第１７の実施形態に記載のインターリーバは、全てマルチモード導波路でのモード分散と波長分散とを固定、すなわち、屈折率が一定であるとしたが、インターリーバのマルチモード導波路の材料を電気光学効果を有する材料にしたり、熱光学効果を有する材料にしたりして、動的に分波比（インターリーバの場合、奇数番波長と偶数番波長の光量比）を制御するようにしてもよい。この場合の制御構成は、図１４，１５で示した光分波器と１００ｈ，１００ｉと同様である。上記電気光学効果を有する材料や熱光学効果を有する材料は、屈折率変化時においても屈折率は使用波長領域において波長に線形である必要がある。
【手続補正２５】
【補正対象書類名】明細書
【補正対象項目名】０３０３
【補正方法】変更
【補正の内容】
【０３０３】
【図１】本発明の第１の実施形態に係る光分波器１００ａの構成の概要を示す図。
【図２Ａ】光分波器１００ａにおいて、１．３０μｍの光が分離する様子を示すＢＰＭ（Ｂｅａｍ  Ｐｒｏｐａｇａｔｉｏｎ  Ｍｅｔｈｏｄ）によるシミュレーション結果を示す図
【図２Ｂ】光分波器１００ａにおいて、１．５５μｍの光とが分離する様子を示すＢＰＭ（Ｂｅａｍ  Ｐｒｏｐａｇａｔｉｏｎ  Ｍｅｔｈｏｄ）によるシミュレーション結果を示す図
【図３】（ａ）は、マルチモード導波路１０２ａ中を伝搬する各波長の詳細な光量を示すＢＰＭによるシミュレーション結果を示す図、（ｂ）は、マルチモード導波路１０２ａ中を伝搬する各波長の詳細な光量を示すＢＰＭによるシミュレーション結果を示す図
【図４】光量移動位相差をほぼπの整数倍とした根拠を説明するための図
【図５】マルチモード導波路出力端での光量分布を示す図
【図６】本発明の第３の実施形態に係る光分波器１００ｂの構成の概要を示す図
【図７】本発明の第４の実施形態に係る光分波器１００ｃの構成の概要を示す図
【図８】本発明の第５の実施形態に係る光分波器１００ｄの構成の概要を示す図
【図９】ダミーシングルモード導波路をつないだ光分波器１０１ｄの構成の概要を示す図
【図１０】本発明の第６の実施形態に係る光分波器１００ｅの構成の概要を示す図
【図１１】本発明の第７の実施形態に係る光分波器１００ｆの構成の概要を示す図
【図１２】第７の実施形態に係る光分波器１００ｆのマルチモード導波路１０２ｆをｎ本のシングルモード導波路１２２ｆ（＃１）〜（＃ｎ）に置き換えた光分波器１０１ｆの構成の概要を示す図
【図１３】本発明の第８の実施形態に係る光分波器１００ｇの構成の概要を示す図
【図１４】電気光学効果を利用してマルチモード伝播部の屈折率を変化させる光分波器１００ｈの構成の概要を示す図
【図１５】熱光学効果を利用してマルチモード伝播部の屈折率を変化させる光分波器１００ｉの構成の概要を示す図
【図１６】本発明の第９の実施形態に係る光合波器２００ａの構成の概要を示す図
【図１７】本発明の第１０の実施形態に係る光合波器２００ｂの構成の概要を示す図
【図１８】本発明の第１１の実施形態に係る光合波器２００ｃの構成の概要を示す図
【図１９】本発明の第１２の実施形態に係る光合波器２００ｆの構成の概要を示す図
【図２０】高次マルチモード伝播部２１３ｆをｎ個のシングルモード導波路２２３ｆで構成した光合波器２００ｇの構成の概要を示す図
【図２１】電気光学効果を利用してマルチモード伝播部の屈折率を変化させる光合波器２１０ａの構成の概要を示す図
【図２２】熱光学効果を利用してマルチモード伝播部の屈折率を変化させる光合波器２２０ａの構成の概要を示す図
【図２３】本発明の第１３の実施形態に係るＷＤＭゲイン調整器３００ａの構成の概要を示す図
【図２４】本発明の第１４の実施形態に係るＷＤＭ用アド・ドロップ３００ｂの構成の概要を示す図
【図２５】本発明の第１５の実施形態に係るＷＤＭ用送受信モジュール３００ｃの構成の概要を示す図
【図２６】本発明の第１６の実施形態に係るＷＤＭ用インターリーバ３００ｄの構成の概要を示す図
【図２７】本発明の第１７の実施形態に係るＷＤＭ用インターリーバ３００ｅの構成の概要を示す図
【図２８】第１段分波部における透過ロスおよび遮断ロスの波長特性を示す図
【図２９】第２段分波部における透過ロスおよび遮断ロスの波長特性を示す図
【図３０】第１８の実施形態に係る光分波器全体における透過ロスおよび遮断ロスの波長特性を示す図
【手続補正２６】
【補正対象書類名】明細書
【補正対象項目名】０３０４
【補正方法】変更
【補正の内容】
【０３０４】
１００ａ〜１００ｉ，１０１ｄ，１０１ｆ  光分波器
１０１ａ，２００ｇ  入力導波路
１０２ａ，１０２ｆ，１０２ｈ，１２２ａ，２０３ａ，２１３ｇ，２２３ａ，３０２ｃ、３０１ｄ  マルチモード導波路
１０３ａ，１０８ｇ  第１の出力導波路
１０４ａ，１０９ｇ  第２の出力導波路
１１２ａ，１３２ｂ，１３２ｃ，１４２ｃ，１３２ｄ，１１２ｆ，１１２ｇ，１１５ｇ，１１７ｇ，２１３ａ，２３３ｂ  中心線
７  入力用光ファイバ
８  第１の出力用光ファイバ
９  第２の出力用光ファイバ
１０２ｂ，２０３ｂ  異光路長マルチモード導波路
１１２ｂ，２１３ｂ  第１の光路長部
１２２ｂ，２２３ｂ  第２の光路長部
１０２ｃ  多段型マルチモード導波路
１１２ｃ  第１のマルチモード領域部
１２２ｃ  第２のマルチモード領域部
１０２ｄ  マルチモード伝播部
１１２ｄ，１１２ｅ  第１のシングルモード導波路
１２２ｄ，１２２ｅ  第２のシングルモード導波路
１１１ｄ  ダミーシングルモード導波路
１０２ｅ，２０３ｃ  多段型マルチモード伝播部
１５２ｅ，２１３ｃ  第１のマルチモード領域部
１６２ｅ，２２３ｃ  第２のマルチモード領域部
１３２ｅ  第３のシングルモード導波路
１４２ｅ  第４のシングルモード導波路
１０３ｆ，２０４ａ  出力導波路
１１２ｆ，２１３ｆ  高次マルチモード伝播部
１２２ｆ，２３３ｆ  シングルモード導波路
１０２ｇ  第１のマルチモード導波路
１０５ｇ  第２のマルチモード導波路
１０７ｇ  第３のマルチモード導波路
１０３ｇ  第１の中継導波路
１０４ｇ  第２の中継導波路
１１１  電極
１１２  電圧制御部
１２１  熱伝導部
１２２  温度制御部
２００ａ，２００ｂ，２００ｃ，２００ｆ，２０１ｆ，２１０ａ，２２０ａ  光合波器
２０１ａ  第１の入力導波路
２０２ａ  第２の入力導波路
２０３ｆ  高次マルチモード導波路
３００ａ  ＷＤＭ用ゲイン調整器
３０３ａ  ゲイン調整部
３００ｂ  ＷＤＭ用アドドロップ
３０１ｂ  分波側マルチモード導波路
３０３ｂ  合波側マルチモード導波路
３０２ｂ  中継導波路
３０４ｂ  ドロップ導波路
３０５ｂ  アド導波路
３００ｃ  ＷＤＭ用送受信モジュール
３０５ｃ，３０８ｃ  フォトダイオード
３０７ｃ  レーザーダイオード
３００ｄ，３００ｅ  ＷＤＭ用インターリーバ
３０１ｅ  第１段マルチモード導波路
３０４ｅ  第１の第２段マルチモード導波路
３０７ｅ  第２の第２段マルチモード導波路
【手続補正２７】
【補正対象書類名】図面
【補正対象項目名】図１４
【補正方法】変更
【補正の内容】
【図１４】
2004191944.tif 000001
【手続補正２８】
【補正対象書類名】図面
【補正対象項目名】図１５
【補正方法】変更
【補正の内容】
【図１５】
2004191944.tif 000002
【手続補正２９】
【補正対象書類名】図面
【補正対象項目名】図２０
【補正方法】変更
【補正の内容】
【図２０】
2004191944.tif 000003
【手続補正３０】
【補正対象書類名】図面
【補正対象項目名】図２１
【補正方法】変更
【補正の内容】
【図２１】
2004191944.tif 000004